(57)【要約】      （修正有）【課題】カードを支持するホルダが簡単に外れることを防止でき、しかも取り外しが可能なカード用コネクタを提供する。【解決手段】カードを収容可能な収容部を有するハウジング１と、カードＣＤ１、ＣＤ２を収納しハウジングの収容部内に挿入されて、カードの挿入方向及びカードの抜き方向にスライド自在に移動可能なホルダ４と、を備えてカード用コネクタを構成する。ハウジングの側面には、収容部内に突出し弾性を有する弾性部５１が設けられ、ホルダが基部と基部の両端側から延出した左右の腕部とからなり、ホルダ４が収容部内に挿入された際に、弾性部５１には、弾性部の先端側に、腕部の外側側面に設けられたレール部と当接しレール部を付勢する押部を有するとともに、ホルダの腕部の先端側であって外側側面から延出した突部と当接する受部を有し、ハウジングには、腕部を挟んで押部と対向する側に、壁部を有することを特徴としている。【選択図】図２
0003179059.tif 000002
【実用新案登録請求の範囲】
【請求項１】
カードが挿入される開口部を有するとともに、前記カードを収容可能な収容部を有するハウジングと、
前記カードを収納し前記ハウジングの前記収容部内に挿入されて、前記カードの挿入方向及び前記カードの抜き方向にスライド自在に移動可能なホルダと、
前記収容部内に配設され、前記カードの複数の電極と接続可能な複数のコンタクト端子と、
前記ハウジングの外面に配設され、前記複数のコンタクト端子と電気的に接続された複数の外部取り出し端子と、を備えたカード用コネクタであって、
前記ホルダは、前記挿入方向側が開口された略Ｕ字状に形成され、前記略Ｕ字状の前記開口に対向する部分である基部と、前記基部の両端側から延出した左右の腕部からなり、
前記左右の腕部には、前記カードが載置された際に、前記カードを支持する支持部が前記腕部の内側側面からそれぞれ延出して設けられ、
前記ハウジングの側面の前記開口部側には、前記収容部内に突出し弾性を有する弾性部が設けられ、
前記ホルダが前記収容部内に挿入された際に、
前記弾性部には、前記弾性部の先端側に、前記腕部の外側側面に設けられたレール部と当接し前記レール部を付勢する押部を有するとともに、前記腕部の先端側であって前記外側側面から延出した突部と当接する受部を有し、
前記ハウジングには、前記腕部を挟んで前記押部と対向する側に、壁部を有することを特徴とするカード用コネクタ。
【請求項２】
前記腕部の先端側には、前記突部に対向し前記腕部の前記内側側面から延出した突設部を有し、前記突設部の前記基部側の側壁に係止部を有し、
前記壁部が、前記挿入方向に向いた側壁に係止受部を有し、
前記ホルダを前記収容部内から前記カードの抜き方向に移動した際に、
前記係止部と前記係止受部とが当接するように対向配設されていることを特徴とする請求項１に記載のカード用コネクタ。
【請求項３】
前記受部には、前記挿入方向側に向いた案内面が、平面視して、前記抜き方向側に傾斜するように形成されるとともに、前記突部には、前記案内面を摺動する摺動面が設けられていることを特徴としている。ことを特徴とする請求項２に記載のカード用コネクタ。
【請求項４】
前記弾性部の先端側は、凸状に形成されており、
前記凸状の部分の前記挿入方向側が前記受部を形成し、前記凸状の頂部が前記押部を形成し、前記凸状の部分の前記抜き方向側が第１開口面を形成し、
前記壁部には、前記第１開口面と対向して形成された第２開口面を有し、
前記第１開口面は、平面視して、前記カードの抜き方向側で前記収納部から外側方向に傾斜しているとともに、前記第２開口面は、平面視して、前記カードの抜き方向側で前記収納部の内側方向に傾斜していることを特徴とする請求項１ないし請求項３のいずれかに記載のカード用コネクタ。
【請求項５】
前記ハウジングには、前記収容部を厚み方向で仕切る枠体を有し、
前記枠体に、前記壁部及び前記複数のコンタクト端子が設けられていることを特徴とする請求項１ないし請求項４のいずれかに記載のカード用コネクタ。
【考案の詳細な説明】
【技術分野】
【０００１】
本考案は、カードが挿入されて使用される機器に装備され、カードと接続可能な複数のコンタクト端子を備えたカード用コネクタに関し、特に、カードを支持し挿抜することのできるホルダを有したカード用コネクタに関する。
【背景技術】
【０００２】
携帯電話やＰＤＡ（Personal Digital Assistance）等の携帯端末に用いられるメモリカードとして、ＳＤカードが一般的に用いられており、近年では、通信業者との契約などが記録されているＳＩＭ（Subscriber Identity Module）カードも一般的に用いられるようになってきた。このＳＩＭカードのように、小型で低背化されたカードを用いる場合、カードの装着或いは脱着の容易さや接続の安定性のため、ホルダ式のカード用コネクタが用いられている。
【０００３】
このホルダ式のカード用コネクタとして、特許文献１では、図９に示すようなトレイ式（ホルダ式）カード用コネクタ９１０が提案されている。図９は、従来例におけるトレイ式カード用コネクタ９１０を説明する図であって、図９（ａ）は、その分解斜視図であって、図９（ｂ）は、トレイの変形例を示した斜視図である。トレイ式（ホルダ式）カード用コネクタ９１０は、図９（ａ）に示すように、大きな構成要素として、インシュレータ９２０及びシェル９４０からなる収納ケース９９０と、収納ケース９９０に挿入され略Ｕ字形状を形成している支持片９６３及び支持片９６４を有したトレイ９６０と、を具備している。
【０００４】
また、図示はしていないが、支持片９６４の下面に突設した係合突起９７５をインシュレータ９２０の案内溝９２８にスライド自在に嵌合させて、トレイ９６０を収納ケース９９０に装着している。そして、ＳＩＭカード等のカードをトレイ９６０に装着し、トレイ９６０を奥まで挿入して、トレイ９６０が収納位置に位置すると、弾性係合部９４７の係合突部９４８が収納時係合部９７２に係合して保持されるようになる。また、トレイ９６０が引き出されて引出位置に位置すると、弾性係合部９４７の係合突部９４８が引出時係合部９７１に係合して保持されるようになる。このようにして、カードが装着されたトレイ９６０は、収納ケース９９０から容易に引き抜けないようになっている。
【０００５】
しかしながら、このようなホルダ（トレイ）を有したカード用コネクタにおいて、カードが入っていない場合でもホルダが容易に抜けないようにして、しかも取り外しが可能なようにするという、二律背反の要望があった。
【先行技術文献】
【特許文献】
【０００６】
【特許文献１】特開２０１０−１７０７０７号公報
【考案の概要】
【考案が解決しようとする課題】
【０００７】
しかしながら、従来例のトレイ式カード用コネクタ９１０では、トレイ（ホルダ）９６０が引出位置に位置して更に力が加わると、トレイ９６０が略Ｕ字形状のため支持片９６３及び支持片９６４が内側に変形して、左右の弾性係合部９４７の係合突部９４８と左右の引出時係合部９７１との係合が外れる虞があるとともに、係合突起９７５と案内溝９２８との嵌合が、スライド自在になるような緩い嵌合なので、これも外れる虞がある。このため、トレイ９６０が収納ケース９９０から外れる虞があると言う課題があった。
【０００８】
また、トレイ９６０の変形例として、図９（ｂ）に示すように、支持片９６３と支持片９６４の前端同士を連結片９７０で繋いで枠状にして支持片９６３及び支持片９６４が内側に変形しないようにしているが、この場合、左右の弾性係合部９４７の係合突部９４８と左右の引出時係合部９７１との係合が容易に外れなく、無理に外すと、左右の引出時係合部９７１が損傷する虞がある言う課題もあった。
【０００９】
本考案は、上述した課題を解決するもので、カードを支持するホルダが簡単に外れることを防止でき、しかも取り外しが可能なカード用コネクタを提供することを目的とする。
【課題を解決するための手段】
【００１０】
この課題を解決するために、本考案の請求項１によるカード用コネクタは、カードが挿入される開口部を有するとともに、前記カードを収容可能な収容部を有するハウジングと、前記カードを収納し前記ハウジングの前記収容部内に挿入されて、前記カードの挿入方向及び前記カードの抜き方向にスライド自在に移動可能なホルダと、前記収容部内に配設され、前記カードの複数の電極と接続可能な複数のコンタクト端子と、前記ハウジングの外面に配設され、前記複数のコンタクト端子と電気的に接続された複数の外部取り出し端子と、を備えたカード用コネクタであって、前記ホルダが、前記挿入方向側が開口された略Ｕ字状に形成され、前記略Ｕ字状の前記開口に対向する部分である基部と、前記基部の両端側から延出した左右の腕部からなり、前記左右の腕部には、前記カードが載置された際に、前記カードを支持する支持部が前記腕部の内側側面からそれぞれ延出して設けられ、前記ハウジングの側面の前記開口部側には、前記収容部内に突出し弾性を有する弾性部が設けられ、前記ホルダが前記収容部内に挿入された際に、前記弾性部には、前記弾性部の先端側に、前記腕部の外側側面に設けられたレール部と当接し前記レール部を付勢する押部を有するとともに、前記腕部の先端側であって前記外側側面から延出した突部と当接する受部を有し、前記ハウジングには、前記腕部を挟んで前記押部と対向する側に、壁部を有することを特徴としている。
【００１１】
また、本考案の請求項２によるカード用コネクタは、前記腕部の先端側には、前記突部に対向し前記腕部の前記内側側面から延出した突設部を有し、前記突設部の前記基部側の側壁に係止部を有し、前記壁部が、前記挿入方向に向いた側壁に係止受部を有し、前記ホルダを前記収容部内から前記カードの抜き方向に移動した際に、前記係止部と前記係止受部とが当接するように対向配設されていることを特徴としている。
【００１２】
また、本考案の請求項３によるカード用コネクタは、前記受部には、前記挿入方向側に向いた案内面が、平面視して、前記抜き方向側に傾斜するように形成されるとともに、前記突部には、前記案内面を摺動する摺動面が設けられていることを特徴としている。
【００１３】
また、本考案の請求項４によるカード用コネクタは、前記弾性部の先端側が、凸状に形成されており、前記凸状の部分の前記挿入方向側が前記受部を形成し、前記凸状の頂部が前記押部を形成し、前記凸状の部分の前記抜き方向側が第１開口面を形成し、前記壁部には、前記第１開口面と対向して形成された第２開口面を有し、前記第１開口面が、平面視して、前記カードの抜き方向側で前記収納部から外側方向に傾斜しているとともに、前記第２開口面は、平面視して、前記カードの抜き方向側で前記収納部の内側方向に傾斜していることを特徴としている。
【００１４】
また、本考案の請求項５によるカード用コネクタは、前記ハウジングには、前記収容部を厚み方向で仕切る枠体を有し、前記枠体に、前記壁部及び前記複数のコンタクト端子が設けられていることを特徴としている。
【考案の効果】
【００１５】
請求項１の考案によれば、本考案のカード用コネクタは、ホルダの腕部を挟んでハウジングの押部と対向する側にハウジングの壁部が設けられ、押部が腕部のレール部を付勢し、弾性部の受部と腕部の突部とが当接する構成なので、ホルダがハウジングの収容部内から引き出される際に、腕部が変形しようとしてもハウジングの壁部が腕部を受け止めるようになる。このため、カードが入っていない場合であっても、確実に弾性部の受部と腕部の突部とが当接するようになり、ホルダが係止される。そして、この位置でカードの抜き差しが行われる。しかし、ユーザーによっては、さらにホルダを引き出そうとしてホルダを破損してしまう事態が危惧される。そこで、本考案では、弾性部が弾性を有しているので、ある程度以上の力をホルダが受けた際に、この弾性部が外側に弾性変形し、弾性部の受部と腕部の突部との係止が外れ、ホルダがハウジングから引き抜かれる。こうして、ホルダの破損を回避することができる。これらのことにより、カードを支持するホルダが簡単に外れることを防止でき、しかも無理に引き抜かれたときには、ホルダを破損することなく取り外しが可能なカード用コネクタを提供することができる。
【００１６】
請求項２の考案によれば、本考案のカード用コネクタは、腕部に設けられた突設部の係止部と壁部の係止受部とが当接するように対向配設されているので、ホルダが収容部内から引出され、腕部の突部と弾性部の受部とが当接した後に、更にホルダが力を受けた際に、係止部と係止受部とが当接するようになる。このことにより、ユーザーはホルダが簡単に抜けるものではないことを認識することになる。
【００１７】
請求項３の考案によれば、本考案のカード用コネクタは、平面視して、受部には、抜き方向側に傾斜するように形成された案内面が設けられているとともに、突部には、摺動面が設けられている。また、係止部と係止受部との当接面は互いに膨らんだ曲面になっている。このため、受部と突部とが当接し、さらに係止部と係止受部が当接した後、更にホルダを無理に引き抜く強い力を受けた際に、案内面と摺動面とが摺動し、係止部と係止受部との曲面状の当接面同士が滑ることにより、受部と突部との係止と、係止部と係止受部との係止とが外れるようになる。このことにより、ホルダがより力を受けた際に、ホルダが損傷する虞を低減することができる。
【００１８】
請求項４の考案によれば、本考案のカード用コネクタは、平面視して、弾性部の第１開口面が抜き方向側で前記収納部から外側方向に傾斜しているとともに、壁部に形成された第２開口面が抜き方向側で前記収納部の内側方向に傾斜しているので、ホルダをハウジングの収容部内に挿入する際に、この第１開口面及び第２開口面によって、ホルダの腕部の先端部分が案内されるようにしてホルダが挿入される。このことにより、カードを支持するホルダを容易にハウジングの収容部内に装着することができる。
【００１９】
請求項５の考案によれば、本考案のカード用コネクタは、ハウジングには、収容部を厚み方向で仕切る枠体を有しているので、２つ以上のカードが挿入できるカード用コネクタに好適に用いることができる。また、枠体に壁部が設けられているので、ハウジングの上下のいずれかの面に設けられている場合と比較して、壁部の形状を自由に作製することができる。
【００２０】
したがって、本考案のカード用コネクタは、カードを支持するホルダが簡単に外れることを防止でき、しかも取り外しが可能なカード用コネクタを提供できる。
【図面の簡単な説明】
【００２１】
【図１】本考案の第１実施形態のカード用コネクタを説明する分解斜視図である。
【図２】本考案の第１実施形態のカード用コネクタを説明する斜視図である。
【図３】本考案の第１実施形態のカード用コネクタを説明する斜視図であって、ホルダが引き出された状態を示している。
【図４】本考案の第１実施形態のカード用コネクタを説明する図であって、図３に示すＺ１側から見た上面図である。
【図５】本考案の第１実施形態のカード用コネクタを説明する図であって、図５（ａ）は、図２に示すＹ２側から見た正面図であり、図５（ｂ）は、図５（ａ）におけるホルダを省略した正面図である。
【図６】本考案の第１実施形態のカード用コネクタを説明する図であって、図６（ａ）は、図２に示すＸ１側から見た側面図であり、図６（ｂ）は、図３に示すＸ１側から見た側面図である。
【図７】本考案の第１実施形態のカード用コネクタを説明する図であって、図７（ａ）は、図５（ｂ）に示すＰ部分の拡大側面図であり、図７（ｂ）は、図４に示すＶＩＩ−ＶＩＩ線における断面図である。
【図８】本考案の第１実施形態のカード用コネクタを説明する図であって、図８（ａ）は、図６（ｂ）に示すＱ部分の拡大側面図であり、図８（ｂ）は、図５（ａ）に示すＶＩＩＩ−ＶＩＩＩ線における断面図である。
【図９】従来例におけるトレイ式カード用コネクタを説明する図であって、図９（ａ）は、その分解斜視図であって、図９（ｂ）は、トレイの変形例を示した斜視図である。
【考案を実施するための形態】
【００２２】
以下、本考案の実施の形態について添付図面を参照して詳細に説明する。
【００２３】
［第１実施形態］
図１は、本考案の第１実施形態のカード用コネクタ１０１を説明する分解斜視図である。図２は、本考案の第１実施形態のカード用コネクタ１０１を説明する斜視図である。図３は、本考案の第１実施形態のカード用コネクタ１０１を説明する斜視図であって、ホルダ４が引き出された状態を示している。図４は、本考案の第１実施形態のカード用コネクタ１０１を説明する図であって、図３に示すＺ１側から見た上面図である。図５は、本考案の第１実施形態のカード用コネクタ１０１を説明する図であって、図５（ａ）は、図２に示すＹ２側から見た正面図であり、図５（ｂ）は、図５（ａ）におけるホルダ４を省略した正面図である。図６は、本考案の第１実施形態のカード用コネクタ１０１を説明する図であって、図６（ａ）は、図２に示すＸ１側から見た側面図であり、図６（ｂ）は、図３に示すＸ１側から見た側面図である。図７は、本考案の第１実施形態のカード用コネクタを説明する図であって、図７（ａ）は、図５（ｂ）に示すＰ部分の拡大側面図であり、図７（ｂ）は、図４に示すＶＩＩ−ＶＩＩ線における断面図である。図８は、本考案の第１実施形態のカード用コネクタを説明する図であって、図８（ａ）は、図６（ｂ）に示すＱ部分の拡大側面図であり、図８（ｂ）は、図５（ａ）に示すＶＩＩＩ−ＶＩＩＩ線における断面図である。
【００２４】
本考案の第１実施形態のカード用コネクタ１０１は、図１ないし図５に示すように、カードＣＤ（ＣＤ１、ＣＤ２）を収容可能な収容部１１ｓを有するハウジング１と、カードＣＤ１を収納しハウジング１の収容部１１ｓ内に挿入されるホルダ４と、カードＣＤ（ＣＤ１、ＣＤ２）の複数の電極と接続可能な複数のコンタクト端子５（１５、２５）と、複数のコンタクト端子５（１５、２５）と電気的に接続された複数の外部取り出し端子７（１７、２７）と、を備えて構成される。更に、本考案の第１実施形態では、ハウジング１には、収容部１１ｓを厚み方向ＴＤ（図５（ｂ）に示すＺ方向）で仕切る枠体３を有しており、それぞれ仕切られた収容部１１ｓには、カードＣＤ１とカードＣＤ２とがそれぞれ収容されるようになっている。
【００２５】
ハウジング１は、図１及び図５（ｂ）に示すように、方形状の底面１２ｂの三方の側端から上方（図１に示すＺ１方向）に延出した側壁１２ｗを有したケース１２と、ケース１２を覆うようにして形成され、方形状の上面１１ａの三方の側端から下方（図１に示すＺ２方向）に延出した側壁部１１ｗを有したカバー１１と、このカバー１１とケース１２とで形成された収容部１１ｓを厚み方向ＴＤで仕切る枠体３と、から構成されている。また、ハウジング１には、ケース１２とカバー１１と枠体３とが組み付けられた際に、図２及び図５（ｂ）に示すような、カードＣＤ（ＣＤ１、ＣＤ２）が挿入される開口部１１ｋが形成されるようになる。
【００２６】
ハウジング１のカバー１１は、金属板を切断し折り曲げて形成されており、ハウジング１の側面である、カバー１１の開口部１１ｋ側の側壁部１１ｗには、図１ないし図３、図５（ｂ）及び図６に示すように、左右それぞれに、弾性を有する弾性部５１が設けられている。そして、この弾性部５１は、収容部１１ｓ内に突出して形成されている。なお、カバー１１として金属板を好適に用いているので、弾性部５１に収容部１１ｓの方向に弾性を持たせることは容易に達成できる。
【００２７】
また、弾性部５１は、カバー１１を形成する際に同時に作製され、図１及び図８（ｂ）に示すように、先端側が凸状に形成されており、図８（ｂ）に示すように、この凸状の部分のカードＣＤの挿入方向ＩＤ（図８（ｂ）に示すＹ１方向）側に受部５１ｒが形成され、この凸状の頂部に押部５１ｐが形成され、この凸状の部分のカードＣＤの抜き方向ＰＤ（図８（ｂ）に示すＹ２方向）側に第１開口面５１ｍが形成されている。
【００２８】
また、本考案の第１実施形態では、図８（ｂ）に示すように、この受部５１ｒの一部が、平面視して、抜き方向ＰＤ側に傾斜するように形成された案内面５１ｇを有している。更に、この第１開口面５１ｍが、平面視して、カードＣＤの抜き方向ＰＤ側の外側方向ＯＤに向けて傾斜している（図８（ｂ）に示すＸＯ方向）。
【００２９】
ハウジング１のケース１２は、絶縁性の合成樹脂を用いて射出成形により形成されており、ケース１２の底面１２ｂには、図１ないし図３及び図５（ｂ）に示すように、ＳＩＭカード等のカードＣＤ１の複数の電極（図示していない）と接続可能な複数のコンタクト端子１５が、収容部１１ｓ内に配設されるように、敷設されている。
【００３０】
コンタクト端子１５は、図１ないし図６に示すように、ハウジング１のケース１２の外面に配設されている外部取り出し端子１７と電気的に接続されている。コンタクト端子１５及び外部取り出し端子１７は、銅等の導電性の金属板を切断し折り曲げて形成されており、ケース１２の射出成形の際に、インサート成形することにより、容易に敷設することができる。なお、本考案の第１実施形態では、６個のコンタクト端子１５と、６個のコンタクト端子１５と電気的に接続された６個の外部取り出し端子１７と、ダミー端子である２個の外部取り出し端子１７と、を用いたが、挿入されるカードＣＤ１の電極に対応して、その個数を選定するのが望ましい。
【００３１】
ハウジング１の枠体３は、絶縁性の合成樹脂を用いて射出成形により形成されており、枠体３の平板状の基体部３ｂには、図１ないし図５に示すように、ＳＤカード等のカードＣＤ２の複数の電極（図示していない）と接続可能な複数のコンタクト端子２５が、収容部１１ｓ内に配設されるように、敷設されている。このように、本考案の第１実施形態のカード用コネクタ１０１は、収容部１１ｓを厚み方向ＴＤで仕切る枠体３を有しているので、２つ以上のカードＣＤが挿入できるカード用コネクタに好適に用いることができる。
【００３２】
コンタクト端子２５は、図１ないし図６に示すように、ハウジング１の枠体３の外面に配設されている外部取り出し端子２７と電気的に接続されている。コンタクト端子２５及び外部取り出し端子２７は、銅等の導電性の金属板を切断し折り曲げて形成されており、枠体３の射出成形の際に、インサート成形することにより、容易に敷設することができる。なお、本考案の第１実施形態では、８個のコンタクト端子２５と、８個のコンタクト端子２５と電気的に接続された８個の外部取り出し端子１７を用いたが、挿入されるカードＣＤ２の電極に対応して、その個数を選定するのが望ましい。
【００３３】
また、ハウジング１の枠体３には、図１に示すように、平板状の基体部３ｂの三方の側端から上方（図１に示すＺ１方向）に延出した立設部３ｔが形成されており、この立設部３ｔの左右（図１に示すＺ１方向）の開口部１１ｋ側には、図５（ｂ）、図７及び図８（ｂ）に示すように、壁部１３が設けられている。
【００３４】
この壁部１３には、図８（ｂ）に示すように、壁部１３の挿入方向ＩＤに向いた側壁に係止受部１３ｒを有しており、この係止受部１３ｒは、平面視して、前述した弾性部５１の受部５１ｒより抜き方向ＰＤ側に形成されている。また、この壁部１３には、図８（ｂ）に示すように、上述した第１開口面５１ｍと対向した位置に、第２開口面１３ｍが形成されており、この第２開口面１３ｍは、平面視して、カードＣＤの抜き方向ＰＤ側の内側方向ＮＤに向けて傾斜している（図８（ｂ）に示すＸＮ方向）。このように、本考案の第１実施形態のカード用コネクタ１０１は、枠体３に壁部１３が設けられているので、ハウジング１のカバー１１或いはケース１２に設けられている場合と比較して、壁部１３の形状を自由に作製することができる。
【００３５】
また、本考案の第１実施形態のカード用コネクタ１０１は、平面視して、弾性部５１の第１開口面５１ｍが外側方向ＯＤに傾斜しているとともに、壁部１３に形成された第２開口面１３ｍが抜き方向ＰＤ側の内側方向ＮＤに傾斜しているので、ホルダ４をハウジング１の収容部１１ｓ内に挿入する際に、この第１開口面５１ｍ及び第２開口面１３ｍによって、ホルダ４の先端部分が案内されるようにしてホルダ４が挿入される。このことにより、カードＣＤを収納するホルダ４を容易にハウジング１の収容部１１ｓ内に装着することができる。
【００３６】
ホルダ４は、合成樹脂を用いて射出成形により形成されており、図１に示すように、挿入方向ＩＤ側が開口された略Ｕ字状に形成され、略Ｕ字状の開口に対向する部分である基部４ｋと、基部４ｋの左右の両端側から延出した左右の腕部（４ａ、４ｂ）とから構成されている。そして、ホルダ４がハウジング１の収容部１１ｓ内に挿入された際に、カードＣＤ１の挿入方向ＩＤ及びカードＣＤ１の抜き方向ＰＤにスライド自在に移動可能なようにハウジング１内に保持される。また、左右の腕部（４ａ、４ｂ）には、カードＣＤ１が載置された際に、図３に示すように、カードＣＤ１を支持する支持部１４が腕部（４ａ、４ｂ）の内側側面からそれぞれ延出して設けられている。更に、本考案の第１実施形態では、カードＣＤ１の支持を確実にするため、基部４ｋの内側側面から延出し支持部１４と連続して形成された延出部１４ｋも設けられている。
【００３７】
また、図１、図３、図６（ｂ）、図７（ｂ）及び図８に示すように、ホルダ４の左右の腕部（４ａ、４ｂ）の外側側面には、レール部２４が設けられており、ホルダ４が収容部１１ｓ内に挿入された際に、上述した弾性部５１の先端側に設けられた押部５１ｐがレール部２４を付勢するようになる。そして、腕部（４ａ、４ｂ）を挟んで押部５１ｐと対向する側に設けられたハウジング１の枠体３の壁部１３と、この押部５１ｐとが、ホルダ４の腕部（４ａ、４ｂ）を挟持するようになる。
【００３８】
また、ホルダ４の左右の腕部（４ａ、４ｂ）の先端側には、図１及び図８（ｂ）に示すように、腕部（４ａ、４ｂ）の内側側面から延出した突設部３４が形成されるとともに、腕部（４ａ、４ｂ）を挟んで対向する側に、腕部（４ａ、４ｂ）の外側側面から延出した突部５４が形成されている。そして、突設部３４の基部４ｋ側の側壁には、係止部３４ｒを有しており、ホルダ４がハウジング１の収容部１１ｓ内に挿入された際には、上述した枠体３の壁部１３に設けられた係止受部１３ｒとこの係止部３４ｒとが当接するように対向配設されるようになる。
【００３９】
以上のように構成された本考案のカード用コネクタ１０１は、ホルダ４の腕部（４ａ、４ｂ）を挟んでハウジング１の押部５１ｐと対向する側に、ハウジング１の枠体３の壁部１３が設けられ、押部５１ｐが腕部（４ａ、４ｂ）のレール部２４を付勢し、弾性部５１の受部５１ｒと腕部（４ａ、４ｂ）の突部５４とが当接するので、ホルダ４がハウジング１の収容部１１ｓ内から引き出される際に、腕部（４ａ、４ｂ）が変形しようとしてもハウジング１の壁部１３が腕部（４ａ、４ｂ）を受け止めるようになる。このため、カードＣＤ１が入っていない場合であっても、確実に弾性部５１の受部５１ｒと腕部（４ａ、４ｂ）の突部５４とが当接するようになり、ホルダ４が係止される。そして、この位置でカードの抜き差しが行われる。しかし、ユーザーによっては、さらにホルダを引き出そうとしてホルダを破損してしまう事態が危惧される。そこで、本考案では、弾性部５１が弾性を有しているので、ある程度以上の力をホルダ４が受けた際に、この弾性部５１が外側に弾性変形し、弾性部５１の受部５１ｒと腕部（４ａ、４ｂ）の突部５４との係止が外れ、ホルダ４がハウジング１から引き抜かれる。こうして、ホルダの破損を回避することができる。これらのことにより、カードＣＤ１を支持するホルダ４が簡単に外れることを防止でき、しかも無理に引き抜かれたときには、ホルダを破損することなく取り外しが可能なカード用コネクタ１０１を提供することができる。
【００４０】
更に、ハウジング１の側面に設けられた弾性部５１と枠体３の壁部１３とで、ホルダ４の腕部（４ａ、４ｂ）を挟持する構成になっているので、図９に示す従来例のような、インシュレータ９２０の底面に設けられた案内溝９２８とトレイ９６０の支持片９６４の下面に突設した係合突起９７５とを嵌合させて、インシュレータ９２０にトレイ９６０を保持させる構成と比較して、カード用コネクタ１０１の幅方向（図１に示すＸ方向）のサイズを小さくすることができる。
【００４１】
また、本考案のカード用コネクタ１０１は、腕部（４ａ、４ｂ）に設けられた突設部３４の係止部３４ｒと壁部１３の係止受部１３ｒとが当接するように対向配設されているので、ホルダ４が収容部１１ｓ内から引出され、腕部（４ａ、４ｂ）の突部５４と弾性部５１の受部５１ｒとが当接した後に、更に係止部３４ｒと係止受部１３ｒとが当接するようになる。このことにより、ユーザーはホルダが簡単に抜けるものではないことを認識することになる。
【００４２】
更に、図８（ｂ）に示すように、突部５４には、平面視して、カードＣＤの抜き方向ＰＤ側に摺動面５４ｇが設けられ、ホルダ４が収容部１１ｓ内から引出され、腕部（４ａ、４ｂ）の突部５４と弾性部５１の受部５１ｒとが当接し、更にホルダ４を無理に引き抜く強い力が該ホルダに加えられた際には、上述した案内面５１ｇをこの摺動面５４ｇが摺動するようになる。このことにより、ホルダ４の突部５４と弾性部の受部５１ｒが損傷する虞を低減することができる。特に、合成樹脂を用いたホルダ４の突部５４の損傷を防止することができる。なお、本考案の第１実施形態では、この摺動面５４ｇが、平面視して、挿入方向ＩＤ側に傾斜するように形成されている。これにより、この摺動面５４ｇが案内面５１ｇをより滑らかに摺動するようになり、突部５４と受部５１ｒが損傷する虞をより低減することができる。
【００４３】
なお、本考案の第１実施形態では、図１、図３及び図４に示すように、ホルダ４の基部４ｋ側であって腕部（４ａ、４ｂ）の外側側面には、凹状形状の収納時受部９４が設けられている。これにより、カードＣＤ１を収納したホルダ４がハウジング１の奥まで挿入されて収納位置に位置されると、弾性部５１の先端側に形成された凸状の部分が収納時受部９４に係合して、ホルダ４が保持されるようになり、ホルダ４が容易に抜けないようにできるとともに、カードＣＤ１の複数の電極（図示していない）と複数のコンタクト端子１５との接続を安定させることができる。
【００４４】
以上により、本考案のカード用コネクタ１０１は、ホルダ４の腕部（４ａ、４ｂ）を挟んでハウジング１の押部５１ｐと対向する側に、ハウジング１の壁部１３が設けられ、押部５１ｐが腕部（４ａ、４ｂ）のレール部２４を付勢し、弾性部５１の受部５１ｒと腕部（４ａ、４ｂ）の突部５４とが当接する構成なので、ホルダ４がハウジング１の収容部１１ｓ内から引き出される際に、腕部（４ａ、４ｂ）が変形しようとしてもハウジング１の壁部１３が腕部（４ａ、４ｂ）を受け止めるようになる。このため、カードＣＤ（ＣＤ１）が入っていない場合であっても、確実に弾性部５１の受部５１ｒと腕部（４ａ、４ｂ）の突部５４とが当接するようになり、ホルダ４が係止される。そして、この位置でカードの抜き差しが行われる。しかし、ユーザーによっては、さらにホルダを引き出そうとしてホルダを破損してしまう事態が危惧される。そこで、本考案では、弾性部５１が弾性を有しているので、ある程度以上の力をホルダ４が受けた際に、この弾性部５１が外側に弾性変形し、弾性部５１の受部５１ｒと腕部（４ａ、４ｂ）の突部５４との係止が外れ、ホルダ４がハウジング１から引き抜かれる。こうして、ホルダの破損を回避することができる。これらのことにより、カードＣＤ（ＣＤ１）を支持するホルダ４が簡単に外れることを防止でき、しかも無理に引き抜かれたときには、ホルダを破損することなく取り外しが可能なカード用コネクタ１０１を提供することができる。
【００４５】
また、腕部（４ａ、４ｂ）に設けられた突設部３４の係止部３４ｒと壁部１３の係止受部１３ｒとが当接するように対向配設されているので、ホルダ４が収容部１１ｓ内から引出され、腕部（４ａ、４ｂ）の突部５４と弾性部５１の受部５１ｒとが当接した後に、更にホルダ４が力を受けた際に、係止部３４ｒと係止受部１３ｒとが当接するようになる。このことにより、ユーザーはホルダが簡単に抜けるものではないことを認識することになる。
【００４６】
また、平面視して、受部５１ｒには、抜き方向ＰＤ側に傾斜するように形成された案内面５１ｇが設けられているとともに、突部５４には、摺動面５４ｇが設けられているので、受部５１ｒと突部５４とが当接した後、更にホルダ４が無理やり引き抜かれるような強い
より力を受けた際に、案内面５１ｇと摺動面５４ｇとが摺動することにより、受部５１ｒと突部５４との係止が外れようになる。このことにより、ホルダ４がより力を受けた際に、受部５１ｒと突部５４が損傷する虞を低減することができる。
【００４７】
また、平面視して、弾性部５１の第１開口面５１ｍが抜き方向ＰＤ側の外側方向ＯＤに傾斜しているとともに、壁部１３に形成された第２開口面１３ｍが抜き方向ＰＤ側の内側方向ＮＤに傾斜しているので、ホルダ４をハウジング１の収容部１１ｓ内に挿入する際に、この第１開口面５１ｍ及び第２開口面１３ｍによって、ホルダ４の腕部（４ａ、４ｂ）の先端部分が案内されるようにしてホルダ４が挿入される。このことにより、カードＣＤを支持するホルダ４を容易にハウジング１の収容部１１ｓ内に装着することができる。
【００４８】
また、ハウジング１には、収容部１１ｓを厚み方向ＴＤで仕切る枠体３を有しているので、２つ以上のカードＣＤが挿入できるカード用コネクタに好適に用いることができる。また、枠体３に壁部１３が設けられているので、ハウジング１の上下のいずれかの面に設けられている場合と比較して、壁部１３の形状を自由に作製することができる。
【００４９】
なお、本考案は上記実施形態に限定されるものではなく、例えば次のように変形して実施することができ、これらの実施形態も本考案の技術的範囲に属する。
【００５０】
＜変形例１＞
上記第１実施形態では、ハウジング１に枠体３を有した構成をであったが、枠体３がない構成であっても良い。その際には、壁部１３をハウジング１のカバー１１に設けることが好適である。具体的には、カバー１１の上面１１ａから下方に延出した壁部を構成するのが良い。
【００５１】
＜変形例２＞
上記第１実施形態では、突設部３４の係止部３４ｒと壁部１３の係止受部１３ｒとを設けた構成にしたが、それぞれ設けない構成であっても良い。
【００５２】
＜変形例３＞
上記第２実施形態では、平面視して、案内面５１ｇが抜き方向ＰＤ側に傾斜するように形成されているとともに、摺動面５４ｇが挿入方向ＩＤ側に傾斜するように形成されている構成であったが、案内面５１ｇまたは摺動面５４ｇのいずれか一方が傾斜するように形成されている構成であっても良い。また、案内面５１ｇまたは摺動面５４ｇが抜き方向ＰＤ側或いは挿入方向ＩＤ側に傾斜するような構成であったが、案内面５１ｇまたは摺動面５４ｇのいずれか一方、或いは両方が、厚み方向ＴＤに対して傾斜するように構成しても良い。
【００５３】
本考案は上記実施の形態に限定されず、本考案の目的の範囲を逸脱しない限りにおいて適宜変更することが可能である。
【符号の説明】
【００５４】
１  ハウジング
１１ｋ  開口部
１１ｓ  収容部
５１  弾性部
５１ｇ  案内面
５１ｍ  第１開口面
５１ｐ  押部
５１ｒ  受部
３      枠体
１３  壁部
１３ｍ  第２開口面
１３ｒ  係止受部
４  ホルダ  
４ａ、４ｂ  腕部
４ｋ  基部
１４  支持部
２４  レール部
３４  突設部
３４ｒ  係止部
５４  突部
５４ｇ  摺動面
５、１５、２５  コンタクト端子
７、１７、２７  外部取り出し端子
ＣＤ、ＣＤ１、ＣＤ２  カード
ＩＤ  挿入方向
ＰＤ  抜き方向
ＴＤ  厚み方向
ＯＤ  外側方向
ＮＤ  内側方向
１０１  カード用コネクタ
【図１】
0003179059.tif 000003
【図２】
0003179059.tif 000004
【図３】
0003179059.tif 000005
【図４】
0003179059.tif 000006
【図５】
0003179059.tif 000007
【図６】
0003179059.tif 000008
【図７】
0003179059.tif 000009
【図８】
0003179059.tif 000010
【図９】
0003179059.tif 000011